(57)【要約】【課題】収差の発生量を低減して性能の向上を図る。【解決手段】第１のレーザー光及び第２のレーザー光をそれぞれ出射する第１の発光部１４ａと第２の発光部１４ｂとを有する発光素子１４と、ディスク状記録媒体１００へ向かう第１のレーザー光及び第２のレーザー光を透過すると共にディスク状記録媒体で反射された第１のレーザー光及び第２のレーザー光を反射する光分岐素子１８と、第１のレーザー光及び第２のレーザー光を平行光束にするコリメーターレンズ１９と、第１のレーザー光と第２のレーザー光とが入射される受光素子２２とを設け、第１のレーザー光の光軸を対物レンズ１３の光軸に一致させると共に第２のレーザー光の光軸を対物レンズの光軸外に形成し、第２のレーザー光の光分岐素子に対する入射角αを第１のレーザー光の光分岐素子に対する入射角θより大きくなる位置に第２の発光部を配置した。【選択図】　　　　図３
2004139709.tif 000002
【特許請求の範囲】
【請求項１】
ディスクテーブルに装着されるディスク状記録媒体の半径方向へ移動し該ディスク状記録媒体に対して対物レンズを介してレーザー光を照射する光ピックアップであって、
２種類の異なるディスク状記録媒体へ向けて該各ディスク状記録媒体に対応した第１の波長を有する第１のレーザー光及び第２の波長を有する第２のレーザー光をそれぞれ出射する第１の発光部と第２の発光部とを有する発光素子と、
該発光素子から出射されてディスク状記録媒体へ向かう第１のレーザー光及び第２のレーザー光を透過すると共にディスク状記録媒体で反射された第１のレーザー光及び第２のレーザー光を反射する光分岐素子と、
該光分岐素子と対物レンズとの間の光路中に配置されると共に発光素子から出射された第１のレーザー光及び第２のレーザー光を平行光束にするコリメーターレンズと、
光分岐素子で反射された第１のレーザー光と第２のレーザー光とが入射される受光素子とを備え、
第１のレーザー光の光軸を対物レンズの光軸に一致させると共に第２のレーザー光の光軸を対物レンズの光軸外に形成し、
発光素子から出射されてディスク状記録媒体へ向かう第２のレーザー光の光分岐素子に対する入射角を、発光素子から出射されてディスク状記録媒体へ向かう第１のレーザー光の光分岐素子に対する入射角より大きくなる位置に第２の発光部を配置した
ことを特徴とする光ピックアップ。
【請求項２】
ディスクテーブルに装着されるディスク状記録媒体の半径方向へ移動し該ディスク状記録媒体に対して対物レンズを介してレーザー光を照射する光ピックアップであって、
２種類の異なるディスク状記録媒体へ向けて該各ディスク状記録媒体に対応した第１の波長を有する第１のレーザー光及び第２の波長を有する第２のレーザー光をそれぞれ出射する第１の発光部と第２の発光部とを有する発光素子と、
該発光素子から出射されてディスク状記録媒体へ向かう第１のレーザー光及び第２のレーザー光を透過すると共にディスク状記録媒体で反射された第１のレーザー光及び第２のレーザー光を反射する光分岐素子と、
該光分岐素子と対物レンズとの間の光路中に配置されると共に発光素子から出射された第１のレーザー光及び第２のレーザー光を平行光束にするコリメーターレンズと、
光分岐素子で反射された第１のレーザー光と第２のレーザー光とが入射される受光素子と、
発光素子とコリメーターレンズとの間の光路中に配置されると共に発光素子からディスク状記録媒体までの光学倍率とディスク状記録媒体から受光素子までの光学倍率を変化させるカップリングレンズとを備え、
第１のレーザー光の光軸を対物レンズの光軸に一致させると共に第２のレーザー光の光軸を対物レンズの光軸外に形成し、
コリメーターレンズとカップリングレンズの合成した焦点距離をＦとしたときに、発光素子からカップリングレンズまでの距離を０．２６Ｆ以上とした
ことを特徴とする光ピックアップ。
【請求項３】
ディスク状記録媒体が装着されて回転されるディスクテーブルと、移動ベース上に対物レンズ駆動装置が支持されると共にディスクテーブルに装着されたディスク状記録媒体の半径方向へ移動しディスク状記録媒体に対して対物レンズを介してレーザー光を照射する光ピックアップとを備えたディスクドライブ装置であって、
上記光ピックアップは、
２種類の異なるディスク状記録媒体へ向けて該各ディスク状記録媒体に対応した第１の波長を有する第１のレーザー光及び第２の波長を有する第２のレーザー光をそれぞれ出射する第１の発光部と第２の発光部とを有する発光素子と、
該発光素子から出射されてディスク状記録媒体へ向かう第１のレーザー光及び第２のレーザー光を透過すると共にディスク状記録媒体で反射された第１のレーザー光及び第２のレーザー光を反射する光分岐素子と、
該光分岐素子と対物レンズとの間の光路中に配置されると共に発光素子から出射された第１のレーザー光及び第２のレーザー光を平行光束にするコリメーターレンズと、
光分岐素子で反射された第１のレーザー光と第２のレーザー光とが入射される受光素子とを備え、
第１のレーザー光の光軸を対物レンズの光軸に一致させると共に第２のレーザー光の光軸を対物レンズの光軸外に形成し、
発光素子から出射されてディスク状記録媒体へ向かう第２のレーザー光の光分岐素子に対する入射角を、発光素子から出射されてディスク状記録媒体へ向かう第１のレーザー光の光分岐素子に対する入射角より大きくなる位置に第２の発光部を配置した
ことを特徴とするディスクドライブ装置。
【請求項４】
ディスク状記録媒体が装着されて回転されるディスクテーブルと、移動ベース上に対物レンズ駆動装置が支持されると共にディスクテーブルに装着されたディスク状記録媒体の半径方向へ移動しディスク状記録媒体に対して対物レンズを介してレーザー光を照射する光ピックアップとを備えたディスクドライブ装置であって、
上記光ピックアップは、
２種類の異なるディスク状記録媒体へ向けて該各ディスク状記録媒体に対応した第１の波長を有する第１のレーザー光及び第２の波長を有する第２のレーザー光をそれぞれ出射する第１の発光部と第２の発光部とを有する発光素子と、
該発光素子から出射されてディスク状記録媒体へ向かう第１のレーザー光及び第２のレーザー光を透過すると共にディスク状記録媒体で反射された第１のレーザー光及び第２のレーザー光を反射する光分岐素子と、
該光分岐素子と対物レンズとの間の光路中に配置されると共に発光素子から出射された第１のレーザー光及び第２のレーザー光を平行光束にするコリメーターレンズと、
光分岐素子で反射された第１のレーザー光と第２のレーザー光とが入射される受光素子と、
発光素子とコリメーターレンズとの間の光路中に配置されると共に発光素子からディスク状記録媒体までの光学倍率とディスク状記録媒体から受光素子までの光学倍率を変化させるカップリングレンズとを備え、
第１のレーザー光の光軸を対物レンズの光軸に一致させると共に第２のレーザー光の光軸を対物レンズの光軸外に形成し、
コリメーターレンズとカップリングレンズの合成した焦点距離をＦとしたときに、発光素子からカップリングレンズまでの距離を０．２６Ｆ以上とした
ことを特徴とするディスクドライブ装置。
【発明の詳細な説明】
【０００１】
【発明の属する技術分野】
本発明は光ピックアップ及びディスクドライブ装置についての技術分野に関する。詳しくは、２種類の異なるディスク状記録媒体に対する情報信号の記録及び／又は再生を行う光ピックアップ及びこれを備えたディスクドライブ装置において、収差の発生量を低減して性能の向上を図る技術分野に関する。
【０００２】
【従来の技術】
ディスク状記録媒体に対する情報信号の記録や再生を行うディスクドライブ装置があり、このようなディスクドライブ装置は、ディスクテーブルに装着されるディスク状記録媒体の半径方向へ移動し該ディスク状記録媒体に対して対物レンズを介してレーザー光を照射する光ピックアップを備えている。
【０００３】
ディスクドライブ装置には、異なる種類のディスク状記録媒体、例えば、ＣＤ（Ｃｏｍｐａｃｔ　Ｄｉｓｃ）とＤＶＤ（Ｄｉｇｉｔａｌ　Ｖｅｒｓａｔｉｌｅ　Ｄｉｓｃ）の双方に対して記録や再生を行うことができるようにしたものがある。
【０００４】
このようなディスクドライブ装置にあっては、ＣＤとＤＶＤの記録密度等の相違により、異なる波長領域を有する２つのレーザ光を発光素子から出射させる必要があるが、光ピックアップの小型化等を目的として、対物レンズを２種類のディスク状記録媒体の兼用とし、異なる波長領域を有する２つのレーザ光を各別に出射する２つの発光部を１つのパッケージ内に配置した発光素子を用いたものがある。従って、このようなディスクドライブ装置においては、ＤＶＤに対しては、例えば、第１の発光部から６５０ｎｍの波長を有する第１のレーザー光が出射され、ＣＤに対しては第２の発光部から７８０ｎｍの波長を有する第２のレーザー光が出射される。
【０００５】
【発明が解決しようとする課題】
ところが、上記したディスクドライブ装置にあっては、対物レンズを兼用としているため、第１の発光部と第２の発光部は対物レンズの光軸に対して垂直な方向へ並列に配置される。従って、一方の発光部から出射される一方のレーザー光の光軸は対物レンズの光軸に一致させることができるが、他方の発光部から出射される他方のレーザー光の光軸は対物レンズの光軸外に形成しなければならない。
【０００６】
このように何れか一方のレーザー光の光軸を対物レンズの光軸外に形成する必要があるため、光軸が対物レンズの光軸外に形成された側の発光部からレーザー光が出射されたときには、特に収差の発生量が大きくなり易く、光ピックアップの性能の低下を来たし、信号レベルの低下等による記録エラーや再生エラーを生じるおそれがある。
【０００７】
そこで、本発明光ピックアップ及びディスクドライブ装置は、上記した問題点を克服し、収差の発生量を低減して性能の向上を図ることを課題とする。
【０００８】
【課題を解決するための手段】
本発明光ピックアップ及びディスクドライブ装置は、上記した課題を解決するために、２種類の異なるディスク状記録媒体へ向けて該各ディスク状記録媒体に対応した第１の波長を有する第１のレーザー光及び第２の波長を有する第２のレーザー光をそれぞれ出射する第１の発光部と第２の発光部とを有する発光素子と、該発光素子から出射されてディスク状記録媒体へ向かう第１のレーザー光及び第２のレーザー光を透過すると共にディスク状記録媒体で反射された第１のレーザー光及び第２のレーザー光を反射する光分岐素子と、該光分岐素子と対物レンズとの間の光路中に配置されると共に発光素子から出射された第１のレーザー光及び第２のレーザー光を平行光束にするコリメーターレンズと、光分岐素子で反射された第１のレーザー光と第２のレーザー光とが入射される受光素子とを設け、第１のレーザー光の光軸を対物レンズの光軸に一致させると共に第２のレーザー光の光軸を対物レンズの光軸外に形成し、発光素子から出射されてディスク状記録媒体へ向かう第２のレーザー光の光分岐素子に対する入射角を、発光素子から出射されてディスク状記録媒体へ向かう第１のレーザー光の光分岐素子に対する入射角より大きくなる位置に第２の発光部を配置したものである。
【０００９】
別の本発明光ピックアップ及びディスクドライブ装置は、上記した課題を解決するために、２種類の異なるディスク状記録媒体へ向けて該各ディスク状記録媒体に対応した第１の波長を有する第１のレーザー光及び第２の波長を有する第２のレーザー光をそれぞれ出射する第１の発光部と第２の発光部とを有する発光素子と、該発光素子から出射されてディスク状記録媒体へ向かう第１のレーザー光及び第２のレーザー光を透過すると共にディスク状記録媒体で反射された第１のレーザー光及び第２のレーザー光を反射する光分岐素子と、該光分岐素子と対物レンズとの間の光路中に配置されると共に発光素子から出射された第１のレーザー光及び第２のレーザー光を平行光束にするコリメーターレンズと、光分岐素子で反射された第１のレーザー光と第２のレーザー光とが入射される受光素子と、発光素子とコリメーターレンズとの間の光路中に配置されると共に発光素子からディスク状記録媒体までの光学倍率とディスク状記録媒体から受光素子までの光学倍率を変化させるカップリングレンズとを設け、第１のレーザー光の光軸を対物レンズの光軸に一致させると共に第２のレーザー光の光軸を対物レンズの光軸外に形成し、コリメーターレンズとカップリングレンズの合成した焦点距離をＦとしたときに、発光素子からカップリングレンズまでの距離を０．２６Ｆ以上としたものである。
【００１０】
従って、本発明光ピックアップ及びディスクドライブ装置にあっては、第２のレーザー光の出射時の収差の発生量が低減される。
【００１１】
【発明の実施の形態】
以下に、本発明光ピックアップ及びディスクドライブ装置の実施の形態を添付図面を参照して説明する。
【００１２】
ディスクドライブ装置１は、外筐２内に所要の各部材及び各機構が配置されて成る（図１参照）。
【００１３】
外筐２内にはシャーシ３が配置され、該シャーシ３に図示しないスピンドルモーターが取り付けられている。スピンドルモーターのモーター軸にはシャーシ３から上方へ突出されたディスクテーブル４が固定されている。
【００１４】
シャーシ３の下面側には、リードスクリュー５とガイド軸６、６とが平行な状態で配置されている。シャーシ３には配置孔３ａが形成され、該配置孔３ａに、光ピックアップ７がディスクテーブル４に装着されるディスク状記録媒体１００の半径方向へ移動可能な状態で配置されている。
【００１５】
光ピックアップ７は移動ベース８と該移動ベース８に設けられた所要の光学要素（光学素子）と移動ベース８上に支持された対物レンズ駆動装置９とを有し、移動ベース８の両端部がそれぞれガイド軸６、６に摺動自在に支持されている。移動ベース８に設けられた図示しないナット部材がリードスクリュー５に螺合され、移動ベース８に取り付けられた図示しない送りモーターによってリードスクリュー５が回転されると、ナット部材がリードスクリュー５の回転方向に応じた方向へ送られ、光ピックアップ７がガイド軸６、６に案内されてディスクテーブル４に装着されるディスク状記録媒体１００の半径方向へ移動される。
【００１６】
対物レンズ駆動装置９は固定部１０と該固定部１０に複数のサスペンション１１、１１、・・・を介して移動可能に支持された可動部１２とを有し、該可動部１２に後述する第１のレーザー光及び第２のレーザー光をディスク状記録媒体１００の記録面上にそれぞれ集光するための対物レンズ１３が保持されている。
【００１７】
移動ベース８には、所要の各光学要素が配置されている（図２参照）。
【００１８】
光学要素としては、発光素子１４、グレーティング１５、偏波面変換素子１６、カップリングレンズ１７、光分岐素子１８、コリメーターレンズ１９、対物レンズ駆動装置９に設けられた対物レンズ１３、シリンドリカルレンズ２０、光軸合成素子２１及び受光素子２２等であり、これらの各光学要素によってディスクドライブ装置１の光学系が構成される。
【００１９】
発光素子１４は異なる波長を有するレーザー光をそれぞれ出射する第１の発光部１４ａと第２の発光部１４ｂとを有し、第１の発光部１４ａからは、例えば、６５０ｎｍの波長を有する第１のレーザー光が出射され、第２の発光部１４ｂからは、例えば、７８０ｎｍの波長を有する第２のレーザー光が出射される。一方のディスク状記録媒体１００、即ち、ＤＶＤ１００ａに対する情報信号の記録又は再生が行われるときには、第１の発光部１４ａから第１のレーザー光が出射され、他方のディスク状記録媒体１００、即ち、ＣＤ１００ｂに対する情報信号の記録又は再生が行われるときには、第２の発光部１４ｂから第２のレーザー光が出射される。
【００２０】
発光素子１４の第１の発光部１４ａと第２の発光部１４ｂとは、対物レンズ１３の光軸と垂直な方向において、例えば、３０μｍ乃至３００μｍの間隔を置いて配置されており、例えば、第１のレーザー光の光軸は対物レンズ１３の光軸に一致されているが、第２のレーザー光の光軸は対物レンズ１３の光軸外に形成されている。
【００２１】
尚、上記とは逆に、第２のレーザー光の光軸を対物レンズ１３の光軸に一致させ、第１のレーザー光の光軸を対物レンズ１３の光軸外に形成するようにしてもよい。
【００２２】
グレーティング１５は、トラッキングエラー信号を検出するために、第１のレーザー光及び第２のレーザー光を回折してディスク状記録媒体１００の記録面上に３つのスポットを形成する機能を有している。
【００２３】
偏波面変換素子１６としては、例えば、１／４波長板が用いられており、偏波面変換素子１６はディスク状記録媒体１００で反射された第１のレーザー光及び第２のレーザー光の発光素子１４への戻りを制限する機能を有している。尚、偏波面変換素子１６を光軸に対して傾けることにより、コマ収差を補正するようにしてもよい。
【００２４】
カップリングレンズ１７は、発光素子１４とコリメーターレンズ１９との間の光路中に配置されており、発光素子１４からディスク状記録媒体１００までの光学倍率とディスク状記録媒体１００から受光素子２２までの光学倍率を変化させる機能を有している。
【００２５】
光分岐素子１８としては、例えば、ビームスプリッタープレートが用いられており、光分岐素子１８は所謂透過型のタイプである。従って、光分岐素子１８によって、発光素子１４から出射されてディスク状記録媒体１００へ向かう第１のレーザー光及び第２のレーザー光が透過されると共にディスク状記録媒体１００で反射された第１のレーザー光及び第２のレーザー光が反射される。
【００２６】
尚、光分岐素子１８は、ビームスプリッタープレートに限られることはなく、レーザー光を分岐する機能を有する透過型のタイプであればよく、例えば、ビームスプリッタープリズムを用いてもよい。
【００２７】
コリメーターレンズ１９は光分岐素子１８と対物レンズ１３との間の光路中に配置されており、第１のレーザー光及び第２のレーザー光を平行光束にする機能を有している。尚、コリメーターレンズ１９の一方の面をトーリック面にして、非点収差を補正するようにしてもよい。
【００２８】
シリンドリカルレンズ２０は非点収差法によってフォーカスエラー信号を検出するために用いられている。尚、フォーカスエラー信号の検出を非点収差法に代えてフーコー法等の他の方法を用いる場合には、シリンドリカルレンズ２０に代えてホログラム素子やプリズム等が用いられる。
【００２９】
光軸合成素子２１は波長選択性を有する光学素子であり、対物レンズ１３の光軸上から外れた第２のレーザー光の光軸方向を補正し、受光素子２２の所定の受光部に入射させる機能を有している。
【００３０】
以上のように構成された光学系において、発光素子１４の第１の発光部１４ａから第１のレーザー光が出射されると、出射された第１のレーザー光はグレーティング１５によって回折され偏波面変換素子１６及びカップリングレンズ１７を介して光分岐素子１８に入射される。光分岐素子１８に入射された第１のレーザー光は該光分岐素子１８を透過されコリメーターレンズ１９で平行光束とされ対物レンズ１３を介してディスクテーブル４に装着されたＤＶＤ１００ａの記録面に集光される。ＤＶＤ１００ａの記録面に集光されたレーザー光は、該記録面で反射されて戻り光として再び対物レンズ１３及びコリメーターレンズ１９を介して光分岐素子１８に入射される。光分岐素子１８に入射された戻り光は、光分岐素子１８で反射され、シリンドリカルレンズ２０及び光軸合成素子２１を介して受光素子２２に入射される。
【００３１】
受光素子２２に戻り光が入射されると、例えば、再生時にはＤＶＤ１００ａに記録された情報信号の読取が行われる。同時に、フォーカシングエラー信号及びトラッキングエラー信号の検出が行われ、この検出結果に基づいて対物レンズ駆動装置９の可動部１２が固定部１３に対して変位されてフォーカシング調整及びトラッキング調整が行われる。
【００３２】
一方、発光素子１４の第２の発光部１４ｂから第２のレーザー光が出射されると、出射された第２のレーザー光はグレーティング１５によって回折され偏波面変換素子１６及びカップリングレンズ１７を介して光分岐素子１８に入射される。光分岐素子１８に入射された第２のレーザー光は該光分岐素子１８を透過されコリメーターレンズ１９で平行光束とされ対物レンズ１３を介してディスクテーブル４に装着されたＣＤ１００ｂの記録面に集光される。ＣＤ１００ｂの記録面に集光されたレーザー光は、該記録面で反射されて戻り光として再び対物レンズ１３及びコリメーターレンズ１９を介して光分岐素子１８に入射される。光分岐素子１８に入射された戻り光は、光分岐素子１８で反射され、シリンドリカルレンズ２０を透過された後、光軸合成素子２１によって光軸方向が補正されて受光素子２２に入射される。
【００３３】
受光素子２２に戻り光が入射されると、例えば、再生時にはＣＤ１００ｂに記録された情報信号の読取が行われる。同時に、フォーカシングエラー信号及びトラッキングエラー信号の検出が行われ、この検出結果に基づいて対物レンズ駆動装置９の可動部１２が固定部１３に対して変位されてフォーカシング調整及びトラッキング調整が行われる。
【００３４】
上記した光学系においては、一方のレーザー光の光軸が対物レンズ１３の光軸外に形成されていることから、収差の発生を抑制するために以下のような２つの手段が用いられている。
【００３５】
第１の手段としては、発光素子１４から出射されてディスク状記録媒体１００へ向かう第２のレーザー光の光分岐素子１８に対する入射角を、発光素子１４から出射されてディスク状記録媒体１００へ向かう第１のレーザー光の光分岐素子１８に対する入射角より大きくなる位置に第２の発光部１４ｂを配置したことである。
【００３６】
以下に、この第１の手段について説明する。
【００３７】
図３に示すように、第１のレーザー光の光分岐素子１８に対する入射角をθとし、第２のレーザー光の光分岐素子１８に対する入射角をαとすると、光分岐素子１８が光軸に対して傾斜して配置されているため、第１の発光部１４ａを基準として第２の発光部１４ｂを一方に離隔していくに従って入射角αが入射角θより小さくなり、第１の発光部１４ａを基準として第２の発光部１４ｂを他方に離隔していくに従って入射角αが入射角θより大きくなる。入射角αがθに比し小さくなる側をプラスとし、入射角αがθに比し大きくなる側をマイナスとする。
【００３８】
図４乃至図８は、コリメーターレンズ１９とカップリングレンズ１７の合成した焦点距離をＦ（図３参照）とし、発光素子１４（第１の発光部１４ａ、第２の発光部１４ｂ）からカップリングレンズ１７までの距離をＤ（図３参照）とし、焦点距離Ｆに対して距離Ｄを変化させたときの、第２の発光部１４ｂの第１の発光部１４ａからの距離（以下、「発光部間距離」と言う。）に対する各収差の発生量を示すグラフ図である。発光部間距離は、上記したように、入射角αが入射角θに比し大きくなる側をマイナスとし、入射角αが入射角θに比し小さくなる側をプラスとして示している。尚、これらのグラフ図においては、各収差の大きさを所定の係数（フリンジゼルニケ係数）で表している。
【００３９】
図４乃至図８のグラフ図に示すように、球面収差は発光部間の距離が変化しても発生量がほとんど変化せず、コマ収差は発光部間距離が０又はマイナスとなる点で発生量が０となり、非点収差は発光部間の距離がマイナスとなる点で発生量が０となる。従って、各収差の発生を抑制するためには、発光部間距離がマイナスとなる位置、即ち、入射角αが入射角θより大きくなる位置に第２の発光部１４ｂを配置することが望ましい。
【００４０】
そこで、上記した光学系においては、入射角αが入射角θより大きくなる位置に第２の発光部１４ｂが配置されており、例えば、第２の発光部１４ｂが第１の発光部１４ａからマイナス側に０．２ｍｍ離れた位置に配置されている。
【００４１】
第２の手段としては、コリメーターレンズ１９とカップリングレンズ１７の合成した焦点距離Ｆに対して、発光素子１４からカップリングレンズ１７までの距離Ｄを０．２６Ｆ以上となる位置に発光素子１４、カップリングレンズ１７及びコリメーターレンズ１９を配置したことである。
【００４２】
以下に、この第２の手段について説明する。
【００４３】
図４乃至図８のグラフ図に示すように、球面収差は焦点距離Ｆに対して距離Ｄが変化しても発生量に大きな増減はなく、コマ収差はＤ＝０．１４Ｆ、Ｄ＝０．２６Ｆ及びＤ＝０．３８Ｆにおいて発生量が小さく、Ｄ＝０．５１Ｆ及びＤ＝０．６４Ｆにおいて比較的小さな範囲で発生し、非点収差はＤ＝０．１４Ｆにおいて発光部間距離により発生量が特に大きく変化している。従って、各収差の発生を抑制するためには、距離Ｄが０．２６Ｆ以上であることが望ましい。
【００４４】
そこで、上記した光学系においては、距離Ｄが０．２６Ｆ以上となるように発光素子１４、カップリングレンズ１７及びコリメーターレンズ１９が配置されている。
【００４５】
上記したように、収差の発生を抑制するためには、入射角αが入射角θより大きくなる位置に第２の発光部１４ｂを配置すると共に距離Ｄが０．２６Ｆ以上となるように発光素子１４、カップリングレンズ１７及びコリメーターレンズ１９を配置することが望ましく、中でも、球面収差、コマ収差及び非点収差のトータルの発生量ができる限り小さくなることが最も望ましい。例えば、距離Ｄを約０．３８Ｆとして発光部間距離を約マイナス０．２とすると、収差のトータルの発生量が小さく各収差の発生を効果的に抑制することができる。
【００４６】
以上に記載した通り、光ピックアップ７にあっては、第２のレーザー光の光分岐素子１８に対する入射角αが第１のレーザー光の光分岐素子１８に対する入射角θより大きくなる位置に第２の発光部１４ｂを配置している。
【００４７】
従って、収差の発生が抑制され、光ピックアップ７の良好な性能を確保することができ、記録エラーや再生エラーを防止することができると共にプレーヤビリティーの改善を図ることができる。
【００４８】
また、光ピックアップ７にあっては、コリメーターレンズ１９とカップリングレンズ１７の合成した焦点距離をＦとし、発光素子１４からカップリングレンズ１７までの距離をＤとしたときに、距離Ｄを０．２６Ｆ以上となるようにしている。
【００４９】
従って、収差の発生が一層抑制され、光ピックアップ７の良好な性能を確保することができ、記録エラーや再生エラーを確実に防止することができると共にプレーヤビリティーの一層の改善を図ることができる。
【００５０】
尚、上記には、第１の発光部１４ａから出射される第１のレーザー光の光軸を対物レンズ１３の光軸に一致させ、第２の発光部１４ｂから出射される第２のレーザー光の光軸を対物レンズ１３の光軸外に形成した例を示したが、逆に、第２のレーザー光の光軸を対物レンズ１３の光軸に一致させ、第１のレーザー光の光軸を対物レンズ１３の光軸外に形成した場合には、距離Ｄは第２の発光部１４ｂを基準とした第１の発光部１４ａまでの距離となる。
【００５１】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００５２】
【発明の効果】
以上に記載したところから明らかなように、請求項１、請求項２、請求項３及び請求項４に記載した発明によれば、収差の発生が抑制され、光ピックアップの良好な性能を確保することができ、記録エラーや再生エラーを防止することができると共にプレーヤビリティーの改善を図ることができる。
【図面の簡単な説明】
【図１】図２乃至図８と共に本発明の実施の形態を示すものであり、本図はディスクドライブ装置の概略斜視図である。
【図２】光ピックアップに設けられた光学系の構成を示す概念図である。
【図３】光分岐素子に対するレーザ光の入射角及び焦点距離Ｆと距離Ｄとの関係を示す概念図である。
【図４】図５乃至図８と共に焦点距離Ｆに対して距離Ｄを変化させたときの発光部間距離に対する各収差の発生量を示すものであり、本図はＤ＝０．１４Ｆのときのグラフ図である。
【図５】Ｄ＝０．２６Ｆのときのグラフ図である。
【図６】Ｄ＝０．３８Ｆのときのグラフ図である。
【図７】Ｄ＝０．５１Ｆのときのグラフ図である。
【図８】Ｄ＝０．６４Ｆのときのグラフ図である。
【符号の説明】
１…ディスクドライブ装置、４…ディスクテーブル、７…光ピックアップ、１３…対物レンズ、１４…発光素子、１４ａ…第１の発光部、１４ｂ…第２の発光部、１７…カップリングレンズ、１８…光分岐素子、１９…コリメーターレンズ、２２…受光素子、１００…ディスク状記録媒体、１００ａ…ＤＶＤ（ディスク状記録媒体）、１００ｂ…ＣＤ（ディスク状記録媒体）
【図１】
2004139709.tif 000003
【図２】
2004139709.tif 000004
【図３】
2004139709.tif 000005
【図４】
2004139709.tif 000006
【図５】
2004139709.tif 000007
【図６】
2004139709.tif 000008
【図７】
2004139709.tif 000009
【図８】
2004139709.tif 000010